(57)【要約】【課題】アダプティブアレイに対応していない無線基地局を、ベースバンドユニットを交換することなく、アダプティブアレイに対応させる。【解決手段】  べースバンドユニット３００と無線ユニット４２０、４３０とが接続される光ケーブル上に信号変換器１００を挿設する。信号変換器１００は、ベースバンドユニット３００から出力された時間軸信号を周波数軸信号に戻して、重み付けを行ってアンテナ本数分の時間軸信号を生成する機能と、複数の時間軸信号を周波数軸信号にしてアレイ合成を行い、合成されて生成された１つの周波数軸信号を１つの時間軸信号に変換して、ベースバンドユニット３００に出力する機能を備える。【選択図】図１
2010011071.tif 000002
【特許請求の範囲】
【請求項１】
複数の無線ユニットに接続された信号変換器であって、
無線送信に用いられる１つの時間軸信号の入力を受け付ける第１インターフェース部と、
前記第１インターフェース部で受け付けた時間軸信号を周波数成分の信号である周波数軸信号に変換する第１変換手段と、
前記周波数軸信号に重み付け演算を行って互いに異なる複数の周波数軸信号を生成する生成手段と、
前記生成手段が生成した複数の周波数軸信号を複数の時間軸信号に変換して出力する第２変換手段と、
前記第２変換手段から出力された複数の時間軸信号それぞれを互いに異なる無線ユニットに出力する第２インターフェース部とを備える
ことを特徴とする信号変換器。
【請求項２】
前記第１インターフェース部で受け付けた時間軸信号は、ＣＰ（Cyclic Prefix）を含む信号であり、
前記第１変換手段は、
前記第１インターフェース部で受け付けた時間軸信号のＣＰを除去するＣＰ除去部と、
前記ＣＰ除去部によりＣＰが除去された時間軸信号を周波数軸信号に変換して出力するＦＦＴ部とを含み、
前記生成手段は、
生成すべき複数の時間軸信号分のウェイトを算出し、算出したウェイトを前記ＦＦＴ部から出力された周波数軸信号にかけて複数の周波数軸信号を出力するウェイト計算部を含み、
前記第２変換手段は、
前記ウェイト計算部から出力された周波数軸信号それぞれを時間軸信号に変換する複数の逆ＦＦＴ部と、
前記複数の逆ＦＦＴ部から出力される時間軸信号それぞれにＣＰを付加する複数のＣＰ付加部とを備える
ことを特徴とする請求項１記載の信号変換器。
【請求項３】
複数の時間軸信号の入力を受け付ける第２インターフェース部と、
前記第２インターフェース部で受け付けた複数の時間軸信号を周波数成分の信号である複数の周波数軸信号に変換する第１変換手段と、
変換された複数の周波数軸信号を合成して１つの周波数軸信号を生成する合成手段と、
前記合成手段で生成された１つの周波数軸信号を１つの時間軸信号に変換する第２変換手段と、
前記１つの時間軸信号を出力するための第１インターフェース部とを備える
ことを特徴とする信号変換器。
【請求項４】
前記第２インターフェース部で受け付けた時間軸信号は、ＣＰ（Cyclic Prefix）を含む信号であり、
前記第１変換手段は、
前記第２インターフェース部で受け付けた時間軸信号のＣＰを除去する複数のＣＰ除去部と、
前記ＣＰ除去部によりＣＰが除去された時間軸信号を周波数軸信号に変換して出力する複数のＦＦＴ部とを含み、
前記生成手段は、
前記複数のＦＦＴ部から出力された複数の周波数軸信号を１つの周波数軸信号にアレイ合成して出力するアレイ処理部を含み、
前記第２変換手段は、
前記アレイ処理部から出力された１つの周波数軸信号を１つの時間軸信号に変換して出力する逆ＦＦＴ部と、
前記逆ＦＦＴ部から出力された１つの時間軸信号にＣＰを付加するＣＰ付加部とを含む
ことを特徴とする請求項３記載の信号変換器。
【請求項５】
無線送信に用いる１つの時間軸信号を出力するベースバンドユニットと、
入力された時間軸信号を付随するアンテナから無線送信する複数の無線ユニットと、
前記ベースバンドユニットと前記無線ユニットとの間の信号路中に挿入される信号変換器とを含む無線信号送信システムであって、
前記ベースバンドユニットは、前記１つの時間軸信号を出力する第１出力端子を含み、
前記信号変換器は、
前記第１出力端子と有線接続された入力端子から１つの時間軸信号の入力を受け付ける第１入力端子と、
前記第１入力端子で受け付けた時間軸信号を周波数成分の信号である周波数軸信号に変換する変換手段と、
前記周波数軸信号に各種の重み値により重み付けを行って互いに相異なる複数の時間軸信号を生成する生成手段と、
生成された複数の時間軸信号それぞれを出力する複数の第２出力端子とを備え、
前記複数の無線ユニットそれぞれは前記複数の第２出力端子のうちの１つと有線接続され１つの時間軸信号の入力を受け付ける第２入力端子を備える
ことを特徴とする無線信号送信システム。
【請求項６】
１つの時間軸信号の入力を受けて所定の処理を実行するベースバンドユニットと、
アンテナから時間軸信号を無線受信する複数の無線ユニットと、
前記ベースバンドユニットと前記複数の無線ユニットとの間の信号路中に挿入される信号変換器とを含む無線信号受信システムであって、
前記複数の無線ユニットそれぞれは、
無線受信した時間軸信号を出力する第１出力端子を備え、
前記信号変換器は、
前記第１出力端子に有線接続され、無線受信された時間軸信号の入力を受け付ける複数の第１入力端子と、
前記複数の第１入力端子で受け付けた複数の時間軸信号を周波数成分の信号である複数の周波数軸信号に変換する第１変換手段と、
変換された複数の周波数軸信号を合成して１つの周波数軸信号を生成する合成手段と、
前記合成手段で生成された１つの周波数軸信号を１つの時間軸信号に変換して出力する第２変換手段と、
前記第２変換手段から出力された１つの時間軸信号を出力する第２出力端子とを備え、
前記ベースバンドユニットは、
前記第２出力端子と有線接続され、前記１つの時間軸信号の入力を受け付ける第２入力端子を備える
ことを特徴とする無線信号受信システム。
【発明の詳細な説明】
【技術分野】
【０００１】
本発明は、無線信号の送受信システム及びそのシステムに用いる信号変換器に関し、特にアダプティブアレイ技術を主要部に用いた前記システム及び信号変換器に関する。
【背景技術】
【０００２】
従来、アダプティブアレイに対応していない無線基地局をアダプティブアレイに対応させるためには、ベースバンドユニットの交換が必要であった。図３は、従来のアダプティブアレイに対応していない無線基地局の構成を示しており、図４は従来のアダプティブアレイに対応した無線基地局の構成を示している。
図３に示すように無指向性通信を実行するベースバンドユニット３００の場合、ＭＡＣ処理部３０１と、信号変調部３０２と、逆ＦＦＴ（Inverse Fast Fourier Transfer）部３０３と、ＣＰ付加部３０４と、信号復調部３０５と、ＦＦＴ（Fast Fourier Transfer）部３０６と、ＣＰ（Cyclic Prefix）除去部３０７とを含んで構成される。信号変調部３０２、逆ＦＦＴ部３０３、ＣＰ付加部３０４が信号を送信するときだけに機能する機能部であり、信号復調部３０５、ＦＦＴ部３０６、ＣＰ除去部３０７が信号を受信するときだけに機能する機能部である。図３に示す無線基地局をアダプティブアレイに対応させる場合には、ベースバンドユニット３００を置き換える必要がある。
【０００３】
図４は、ベースバンドユニット３００をベースバンドユニット４００に置き換え、アンテナ本数分だけの無線ユニットを備えたアダプティブアレイ対応の無線基地局の機能構成図である。ベースバンドユニット４００の場合、ＭＡＣ処理部４０１と、信号変調部４０２と、逆ＦＦＴ部４０４、４０６と、ＣＰ付加部４０５、４０７と、信号変調部４１２と、ＦＦＴ部４１４、４１６と、ＣＰ除去部４１５、４１７とを含んで構成される。
【０００４】
図３と図４とを比較すればわかるように、アダプティブアレイに対応するためには、アンテナの本数分だけの、ＦＦＴ部、ＣＰ付加部、逆ＦＦＴ部、ＣＰ除去部が必要となる。
特許文献１には、アダプティブアレイと無指向性通信との切替が可能な無線基地局が開示されている。
【特許文献１】特開２００８−４８２３６号公報
【発明の開示】
【発明が解決しようとする課題】
【０００５】
ところで、上記ベースバンドユニットの交換は、設置コストがかかるためにあまり歓迎されない。というのもベースバンドユニットにおけるＭＡＣ処理部、信号変調部、信号復調部などの機能部は信号処理を実行する必要上比較的高性能なＣＰＵを使用する必要があるため、新たなベースバンドユニットの作成はコストが高くついてしまう。元のベースバンドユニットの信号変調部から出力される信号を抽出したりすることも考えられるがベースバンドユニットによっては、他社製品のものであった場合などには、それができないこともある。
【０００６】
そこで、本発明においては、ベースバンドユニットを交換することなく、かつ、元からあるベースバンドユニットに手を加えることなく、アダプティブアレイに対応していない無線基地局をアダプティブアレイに対応させるための信号変換器及びそのような信号変換器を含んだ送受信システムを提供することを目的とする。
【課題を解決するための手段】
【０００７】
上記課題を解決するため、本発明に係る信号変換器は、複数の無線ユニットに接続された信号変換器であって、無線送信に用いられる１つの時間軸信号の入力を受け付ける第１インターフェース部と、前記第１インターフェース部で受け付けた時間軸信号を周波数成分の信号である周波数軸信号に変換する第１変換手段と、前記周波数軸信号に重み付け演算を行って互いに異なる複数の周波数軸信号を生成する生成手段と、前記生成手段が生成した複数の周波数軸信号を複数の時間軸信号に変換して出力する第２変換手段と、前記第２変換手段から出力された複数の時間軸信号それぞれを互いに異なる無線ユニットに出力する第２インターフェース部とを備えることを特徴としている。
【発明の効果】
【０００８】
上述のような構成によって、信号変換器が１つの無線送信に用いる時間軸信号を、周波数軸信号に戻して重み付けを行い、無線ユニットの数だけの時間軸信号を生成するので、この信号変換器をベースバンドユニットの出力が入力されるように接続することにより、無線基地局はアダプティブアレイ送信が実行できる。しかも、この場合、ベースバンドユニットを交換することはなく、かつベースバンドユニットにも手を加えずとも良いので、上述した課題が悉く解決できる。
【０００９】
また、本発明に係る信号変換器は、複数の時間軸信号の入力を受け付ける第２インターフェース部と、前記第２インターフェース部で受け付けた複数の時間軸信号を周波数成分の信号である複数の周波数軸信号に変換する第１変換手段と、変換された複数の周波数軸信号を合成して１つの周波数軸信号を生成する合成手段と、前記合成手段で生成された１つの周波数軸信号を１つの時間軸信号に変換する第２変換手段と、前記１つの時間軸信号を出力するための第１インターフェース部とを備えることを特徴としている。
【００１０】
上述の構成によって、複数の無線ユニットが、時間軸信号を受信した場合でも、アレイ合成して、１つの時間軸信号を生成して、元のベースバンドユニットに出力することができる。よって、ベースバンドユニットを交換することなく、ベースバンドユニットと無線ユニットとを接続するライン上に、信号変換器を設けることで、アダプティブアレイ受信が実行できる。
【発明を実施するための最良の形態】
【００１１】
以下、本発明の一実施形態である信号変換器について図面を用いながら説明する。
＜実施の形態＞
＜構成＞
図１は、無線基地局のシステム構成を示した構成図である。
無線基地局は、ベースバンドユニット（ＢＢＵ（Base Band Unit））３００と、信号変換器１００と、無線ユニット（ＲＲＵ（Remote Radio Unit））４２０、４２１とを含んで構成される。
【００１２】
ベースバンドユニット３００、無線ユニット４２０は、元々アダプティブアレイに対応していない状態の無線基地局に設置されているもので、ベースバンドユニット３００と無線ユニット４２０とを結ぶ通信路上の構成にさらに信号変換器１００を挿設したことが本発明の特徴となる。
＜ベースバンドユニット３００＞
ベースバンドユニット３００は、ＭＡＣ処理部３０１と、信号変調部３０２と、逆ＦＦＴ部３０３と、ＣＰ付加部３０４と、信号変調部３０５と、ＦＦＴ部３０６と、信号復調部３０７とを含んで構成される。
【００１３】
ＭＡＣ処理部３０１は、送信する信号を構成するデータ（実際のデータなど）をパケット信号にして信号変調部３０２に出力する機能と、信号復調部３０５から入力された復調信号を解析し、解析した信号を上位層（図示せず）へ出力する機能を有する。
＜送信側＞
信号変調部３０２は、ＭＡＣ処理部３０１から入力された信号を変調して周波数軸信号を逆ＦＦＴ部３０３に出力する機能を有する。
【００１４】
逆ＦＦＴ部３０３は、信号変調部３０２から入力された周波数軸信号に逆ＦＦＴをかけて時間軸信号に変換してＣＰ付加部３０４に出力する機能を有する。
ＣＰ付加部３０４は、逆ＦＦＴ部３０３から入力された時間軸信号にＣＰを付加してベースバンドユニット３００の外部に出力する機能を有する。ＣＰ、Ｃｙｃｌｉｃ  Ｐｒｅｆｉｘは、送信する時間軸信号の実際のデータの先頭と最後とを受信側に認識させるためのものであり、ＣＰ付加とは、時間軸信号の最後部分の所定ビット数をコピーして時間軸信号の先頭に付加することをいう。ＣＰはガードインターバルと呼称されることもある。
【００１５】
＜受信側＞
ＣＰ除去部３０７は、ベースバンドユニット３００外部から入力された時間軸信号に付加されているＣＰを除去し、ＣＰが除去された時間軸信号をＦＦＴ部３０６に出力する機能を有する。
ＦＦＴ部３０６は、ＣＰ除去部３０７から入力されたＣＰが除去された時間軸信号にＦＦＴをかけて、周波数軸信号に変換して信号復調部３０５に出力する機能を有する。
【００１６】
信号復調部３０５は、ＦＦＴ部３０６から入力された周波数軸信号を復調し、復調して得られた復調信号をＭＡＣ処理部３０１に出力する機能を有する。
＜信号変換器１００＞  
信号変換器１００は、ＣＰ除去部１０１と、ＦＦＴ部１０２と、ウェイト計算部１０３と、逆ＦＦＴ部１０４と、ＣＰ付加部１０５と、逆ＦＦＴ部１０６と、ＣＰ付加部１０７と、ＣＰ付加部１１１と、逆ＦＦＴ部１１２と、アレイ処理部１１３と、ＦＦＴ部１１４と、ＣＰ除去部１１５と、ＦＦＴ部１１６、ＣＰ除去部１１７とを含んで構成される。
【００１７】
信号変換器１００では、ベースバンドユニット３００から出力された時間軸信号を第１インターフェース部１１８で受けて、ＣＰ除去部１０１に入力される。また、ＣＰ付加部１１１でＣＰが付加された時間軸信号が第１インターフェース部１１８からベースバンドユニット３００に出力される。第１インターフェース部１１８は、アダプティブアレイ処理がなされていない時間軸信号を送信あるいは受信するためのポートを１つずつ備える。
【００１８】
また、信号変換器１００では、無線ユニット４２０、４２１それぞれから出力された時間軸信号を第２インターフェース部１１９で受けて、ＣＰ除去部１１５、１１７に入力される。また、ＣＰ付加部１０５、１０７でＣＰが付加された時間軸信号が第１インターフェース部１１８からそれぞれ無線ユニット４２０、４２１に出力される。第２インターフェース部１１９は、アダプティブアレイ処理がなされている時間軸信号を送信あるいは受信するためのポートをそれぞれ２つ備える。
【００１９】
第１インターフェース部１１８及び第２インターフェース部１１９は、元々ベースバンドユニット３００と、無線ユニットとが接続されていた通信路の規格に応じたポートになっている。例えばベースバンドユニット３００と無線ユニットとがＯＢＳＡＩ（Open Basestation Standard Initiative）の規格に従った光ファイバーケーブルにより接続されていた場合には、第１インターフェース部１１８及び第２インターフェース部１１９もＯＢＳＡＩの規格に従ったポートとなり、例えばベースバンドユニット３００と無線ユニットとがＣＰＲＩ（Common Public Radio Interface）の規格に従った光ファイバーケーブルにより接続されていた場合には、第１インターフェース部１１８及び第２インターフェース部１１９もＣＰＲＩの規格に従ったポートとなる。
【００２０】
＜送信側＞
ＣＰ除去部１０１は、第１インターフェース部１１８を介して、ベースバンドユニット３００から入力された時間軸信号に付加されているＣＰを除去し、ＣＰが除去された時間軸信号をＦＦＴ部１０２に出力する機能を有する。
ＦＦＴ部１０２は、ＣＰ除去部１０１から入力されたＣＰが除去された時間軸信号にＦＦＴをかけて、周波数軸信号に変換してウェイト計算部１０３に出力する機能を有する。
【００２１】
ウェイト計算部１０３は、アレイ処理部１１３で計算されたウェイト信号を掛け合わせて重み付け演算を行い、アンテナ本数分の周波数軸信号を出力する機能を有する。なお、重み付け演算は従来から行われていることであり、その詳細については、ここでは割愛する。ウェイト計算部１０３は、無線ユニット４２０用の周波数軸信号を逆ＦＦＴ部１０４に、無線ユニット４２１用の周波数軸信号を逆ＦＦＴ部１０６に出力する。
【００２２】
逆ＦＦＴ部１０４は、ウェイト計算部１０３から入力された周波数軸信号に逆ＦＦＴをかけて時間軸信号に変換してＣＰ付加部１０５に出力する機能を有する。
ＣＰ付加部１０５は、逆ＦＦＴ部１０４から入力された時間軸信号にＣＰを付加して第２インターフェース部１１９を介して無線ユニット４２０に出力する機能を有する。
逆ＦＦＴ部１０６は、ウェイト計算部１０３から入力された周波数軸信号に逆ＦＦＴをかけて時間軸信号に変換してＣＰ付加部１０７に出力する機能を有する。
【００２３】
ＣＰ付加部１０７は、逆ＦＦＴ部１０４から入力された時間軸信号にＣＰを付加して第２インターフェース部１１９を介して無線ユニット４２１に出力する機能を有する。
＜受信側＞
ＣＰ除去部１１７は、第２インターフェース部１１９を介して無線ユニット４２１から入力された時間軸信号に付加されているＣＰを除去し、ＣＰが除去された時間軸信号をＦＦＴ部１１６に出力する機能を有する。
【００２４】
ＦＦＴ部１１６は、ＣＰ除去部１１７から入力されたＣＰが除去された時間軸信号にＦＦＴをかけて、周波数軸信号に変換してアレイ処理部１１３に出力する機能を有する。
ＣＰ除去部１１５は、第２インターフェース部１１９を介して無線ユニット４２０から入力された時間軸信号に付加されているＣＰを除去し、ＣＰが除去された時間軸信号をＦＦＴ部１１４に出力する機能を有する。
【００２５】
ＦＦＴ部１１４は、ＣＰ除去部１１５から入力されたＣＰが除去された時間軸信号にＦＦＴをかけて、周波数軸信号に変換してアレイ処理部１１３に出力する機能を有する。
アレイ処理部１１３は、ＦＦＴ部１１４、ＦＦＴ部１１６から入力された複数の周波数軸信号にアレイ合成処理を実行し、通常信号に戻し、１つの周波数軸信号を逆ＦＦＴ部１１２に出力する機能を有する。また、アレイ処理部１１３は、ウェイト計算部１０３に出力時に掛け合わせるべきウェイト信号を通知する機能も有する。なお、アレイ合成処理は、従来から行われていることであるので、ここではその詳細については割愛する。
【００２６】
逆ＦＦＴ部１１２は、アレイ処理部１１３から入力された周波数軸信号に逆ＦＦＴをかけて時間軸信号に変換してＣＰ付加部１１１に出力する機能を有する。
ＣＰ付加部１１１は、逆ＦＦＴ部１１２から入力された時間軸信号にＣＰを付加して第１インターフェース部１１８を介してベースバンドユニット３００に出力する機能を有する。
＜無線ユニット４２０＞
無線ユニット４２０は、信号変換器１００から入力されたＣＰ付加部１０５でＣＰが付加された時間軸信号を、アナログ変換して、アンテナ４３０を介して無線送信する機能を有する。また、無線ユニット４２０は、アンテナ４３０を介して無線受信した時間軸信号を、デジタル変換して、信号変換器１００に出力する機能も有する。
＜無線ユニット４２１＞
無線ユニット４２１は、信号変換器１００から入力されたＣＰ付加部１０７でＣＰが付加された時間軸信号を、アナログ変換して、アンテナ４３１を介して無線送信する機能を有する。また、無線ユニット４２１は、アンテナ４３１を介して無線受信した時間軸信号を、デジタル変換して、信号変換器１００に出力する機能も有する。
【００２７】
なお、無線ユニット及びアンテナについては、元の基地局に備えられていたものに加え、必要数だけ増設する必要がある。
＜使用形態＞
上述してきた無線基地局の実際の使用形態、つまり各ユニットの配置例を図２に示した。
【００２８】
アンテナ４３０、４３１は例えば、ビルディングの屋上に設置され、それに付随する形で無線ユニット４２０、４２１も配置される。無線ユニット４２０からは、オペレータールーム２００の信号変換器１００まで、送受信あわせて２本の光ファイバーケーブルが延線される。無線ユニット４２１からは、オペレータールーム２００の信号変換器１００まで、送受信あわせて２本の光ファイバーケーブルが延線される。信号変換器１００は、２本の光ファイバーケーブルでベースバンドユニット３００と接続されている。
【００２９】
なお、オペレータルーム２００は、無線ユニット４２０、４２１が配置されているビルディング内にあってもよい。
以上に説明してきたように、従来のアダプティブアレイに対応していない無線基地局において、ベースバンドユニットと、無線ユニットとを接続する光ファイバーケーブルの間に、信号変換器を挿設し、必要な本数のアンテナと無線ユニットを用意するだけで、無線基地局をアダプティブアレイに対応させることができる。
【００３０】
ベースバンドユニットにおいて、コストがかかるのは、ＭＡＣ処理部、信号変調部、信号復調部であり、これらの機能部は、ＣＰ除去部１０１、ＦＦＴ部１０２、ＣＰ付加部１１１、逆ＦＦＴ部１１２の各機能部を用意するよりもコストがかかる。
よって、信号変換器には、ＭＡＣ処理部や信号復調部、信号変調部が配されていないので、アダプティブアレイに対応していない無線基地局をアダプティブアレイに対応させる場合であっても、ベースバンドユニットを置き換えるよりも少ないコストでアダプティブアレイに対応させた無線基地局を提供できる。
＜補足＞
上記実施形態において、本発明の実施の手法について説明してきたが、本発明の実施形態がこれに限られないことは勿論である。以下、上記実施形態以外に本発明の思想として含まれる各種の変形例について説明する。
（１）上記実施の形態においては、アンテナが２本（アンテナ４３０、４３１）の場合について説明したが、アンテナの本数は２本に限られず、複数あればよく、例えば４本であってもよい。この場合、信号変換器は、アンテナの本数分だけの、逆ＦＦＴ部、ＣＰ付加部、ＦＦＴ部、ＣＰ除去部を備える必要があり、ウェイト計算部、アレイ処理部は、そのアンテナ本数にあわせた重み付け演算、アレイ合成演算を行う必要がある。
（２）上記実施の形態においては、無線基地局は、アダプティブアレイに対応していない段階では１アンテナであるものとして説明しており、ベースバンドユニット３００は、１入力１出力の構成をとっていた。
【００３１】
しかし、無線基地局がＷｉＭＡＸ基地局であった場合、ＷｉＭＡＸ基地局は、ＭＩＭＯ対応が可能であることから、２アンテナの構成となっており、その場合には、ベースバンドユニットは、２入力２出力の構成をとることとなる。
従って、このような場合には、信号変換器もベースバンドユニットの入出力数にあわせて、第１インターフェース部１１８は、２入力２出力というポート構成をとることになる。
（３）上記実施の形態における時間軸信号は、時間軸の情報を含むものであればよく、時間軸情報を含んだ変調信号であってもよい。
【産業上の利用可能性】
【００３２】
本発明に係る信号変換器は、アダプティブアレイに対応していない無線基地局をベースバンドユニットを交換することなくアダプティブアレイに対応させることができる機器として有用である。
【図面の簡単な説明】
【００３３】
【図１】実施形態に係る無線基地局のシステム構成を示した機能ブロック図である。
【図２】実施形態に係る信号変換器の使用形態を示す図である。
【図３】従来のアダプティブアレイに対応していない無線基地局の機能構成を示した機能ブロック図である。
【図４】従来のアダプティブアレイに対応した無線基地局の機能構成を示した機能ブロック図である。
【符号の説明】
【００３４】
１００  信号変換器
１０１、１１５、１１７、３０７  ＣＰ除去部
１０２、１１４、１１６、３０６  ＦＦＴ部
１０３  ウェイト計算部
１０４、１０６、１１２、３０３  逆ＦＦＴ部
１０５、１０７、１１１、３０４  ＣＰ付加部
１１３  アレイ計算部
１１８  第１インターフェース部
１１９  第２インターフェース部
３００  ベースバンドユニット（ＢＢＵ）
３０１  ＭＡＣ処理部
３０２  信号変調部
３０５  信号復調部
４２０、４２１  無線ユニット（ＲＲＵ）
４３０、４３１  アンテナ
【図１】
2010011071.tif 000003
【図２】
2010011071.tif 000004
【図３】
2010011071.tif 000005
【図４】
2010011071.tif 000006